(57)【要約】      （修正有）【課題】保管時や運搬時においても光記録媒体ディスクの表面に傷が発生しない保管方法を提供する。【解決手段】ベース台２と、該ベース台に立設された中央突出軸３とを備える重畳台４に、表裏を貫通し中央突出軸を挿入しうる孔を形成された光記録媒体ディスク５を保管する方法において、表裏を貫通し該中央突出軸を挿入しうる孔を形成され、高さ０．２ｍｍ以上のリング状凸部１０を該孔の周辺部に有する、円盤状のダミーディスク９と、該光記録媒体ディスクとを、この順に該孔に該中央突出軸を挿入させて該重畳台のベース台上に積載した状態で保管する。【選択図】図３
2009274766.tif 000002
【特許請求の範囲】
【請求項１】
ベース台と、該ベース台に立設された中央突出軸とを備える重畳台に、表裏を貫通し該中央突出軸を挿入しうる孔を形成された光記録媒体ディスクを保管する方法であって、
表裏を貫通し該中央突出軸を挿入しうる孔を形成され、高さ０．２ｍｍ以上のリング状凸部を該孔の周辺部に有する、円盤状のダミーディスクと、該光記録媒体ディスクとを、この順に該孔に該中央突出軸を挿入させて該重畳台のベース台上に積載した状態で保管する
ことを特徴とする、光記録媒体ディスクの保管方法。
【請求項２】
該ダミーディスクと、該ベース台との最大距離が２ｍｍ以上となるように、該ダミーディスクの孔に該中央突出軸を挿入させて積載した状態で保管する
ことを特徴とする、請求項１に記載の光記録媒体ディスクの保管方法。
【請求項３】
表裏を貫通し該中央突出軸を挿入しうる孔が形成された、厚み１ｍｍ以上のスペーサと、該ダミーディスクと、該光記録媒体ディスクとを、この順に該中央突出軸をこれらの各孔に挿入させて積載した状態で保管する
ことを特徴とする、請求項１又は請求項２に記載の光記録媒体ディスクの保管方法。
【請求項４】
前記リング状凸部の先端の、光記録媒体ディスクの保管時に隣接している光記録媒体ディスクに接触する面が、平坦になっている
ことを特徴とする、請求項１〜３の何れか一項に記載の光記録媒体ディスクの保管方法。
【請求項５】
表裏を貫通する孔が形成された光記録媒体ディスクを積載する重畳台であって、
ベース台と、該ベース台に立設された該光記録媒体ディスクの孔に挿入しうる中央突出軸とを備え、
該ベース台は、該中央突出軸の近傍部分が、該重畳台に該光記録媒体ディスクを積載したときの該光記録媒体ディスクの外周辺部に対向する部分と比べて、２ｍｍ以上高く形成された
ことを特徴とする、光記録媒体ディスク重畳積層保管用重畳台。
【請求項６】
該ベース台に該中央突出軸から該ベース台外周部へ放射状にリブが形成されている
ことを特徴とする、請求項５記載の光記録媒体ディスク重畳積層保管用重畳台。
【発明の詳細な説明】
【技術分野】
【０００１】
本発明は、光記録媒体ディスクの保管方法、及び光記録媒体ディスク重畳積層保管用重畳台に関する。
【背景技術】
【０００２】
光記録媒体ディスクの出荷運搬形態は様々な形態が存在する。光記録媒体ディスク１枚毎に平板な樹脂性ケースに収納する場合等もあるが、大量の光記録媒体ディスクを出荷運搬する際には、１０枚、２５枚、５０枚、１００枚等の単位で一つのケースに収納することがある。
このような収納の方法としては、スピンドルケースと呼ばれる略円筒状の樹脂性ケースに、２５枚もしくは５０枚の円盤状の光記録媒体ディスクを積み重ねて収納するのが一般的である。
【０００３】
図７は、一般的な形状のスピンドルケースを用いて光記録媒体ディスクの保管した状態を表わす模式的な分解斜視図である。スピンドルケース１０１は、円盤状のベース台１０２、及び該ベース台１０２の中心に形成された中央突出軸１０３とを備える重畳台１０４と、該重畳台１０４の上に積載した光記録媒体ディスク１０５を外部からの埃等から保護するカバー１０６とからなる。
該スピンドルケース１０１に収納される光記録媒体ディスク１０５は、通常、円盤形状であり、その中心に表裏を貫通し該中央突出軸を挿入しうる孔１０７（以下、「ディスク中心孔」ということがある。）を備えている。
該光記録媒体ディスク１０５を該スピンドルケース１０１に保管するときには、該光記録媒体ディスク１０５のディスク中心孔１０７に該中央突出軸１０３を挿入させて、所望の枚数の光記録媒体ディスク１０５を重畳台１０４の上に積載し、その後、カバー１０６が重畳台１０４に装着される。
【０００４】
この際、平坦な光記録媒体ディスク１０５を単に重ねた場合は、光記録媒体ディスク１０５の表面が隣接する光記録媒体ディスクとの接触により傷ついてしまう可能性がある。そのため、光記録媒体ディスク１０５には、通常、スタックリングが設けられる。
【０００５】
図８（ａ）は、一般的な形状の光記録媒体ディスク１０５として、ブルーレイディスクを例に記録レーザー光の入射面の反対側からみた模式的な上面図を表わしたものである。また、図８（ｂ）は光記録媒体ディスク１０５を図８（ａ）のＰ８−Ｑ８線で切った模式的な断面図である。
【０００６】
スタックリング１０８とは、光記録媒体ディスク１０５のディスク中心孔１０７の周辺部に設けられた、円形の連続した突起部のことである。光記録媒体ディスクがブルーレイディスクの場合では、スタックリングは、ブルーレイディスクの記録レーザー光の入射面の反対側のみに形成することが一般的である。
【０００７】
光記録媒体ディスク１０５を重ねて保管する場合、スタックリング１０８の有る面と無い面とが接するように複数の光記録媒体ディスク１０５を重ねることにより、スタックリング１０８の部分のみが隣接する光記録媒体ディスク１０５の一方の面に接することとなる。これにより、光記録媒体ディスク１０５と隣接する光記録媒体ディスク１０５との間
には、スタックリング１０８の高さ分のスペースが生じ、光記録媒体ディスク１０５同士がスタックリング１０８の部分以外の場所で接触することを防ぐことができる。スタックリング１０８の形状は適宜設定可能であるが、高さ（図８（ｂ）におけるＨ８）は通常０．２ｍｍ未満である。
スタックリング１０８を利用した光記録媒体ディスク１０５の収納方法としては、種々の方法が提案されている（特許文献１、２参照）。
【０００８】
また、スピンドルケース１０１に光記録媒体ディスク１０５を保管する場合は、光記録媒体ディスク１０５とスピンドルケース１０１との接触による傷の発生や埃の付着等を防ぐため、積み重ねた光記録媒体ディスク１０５の一番下及び／又は一番上に、図７に示すようなダミーディスク１０９（図７では、一番下のみにダミーディスク１０９を設けている。）を装着することが一般的である。
【０００９】
ダミーディスク１０９とは、実際の製品ではないが、製品となる光記録媒体ディスク１０５と略同一の形状を有するもので、傷が発生しても問題がなく、繰り返し使用してもよいものである。ダミーディスク１０９を用いることにより、品質上より安全な出荷運搬が可能となる。
【先行技術文献】
【特許文献】
【００１０】
【特許文献１】特開２０００−２８９７９２号公報
【特許文献２】特開２０００−２５５６７２号公報
【発明の概要】
【発明が解決しようとする課題】
【００１１】
しかしながら、ダミーディスク１０９を用いたスピンドルケース１０１に、光記録媒体ディスク１０５を保管して運搬した場合においても、運搬時の外力によりスピンドルケース１０１が変形する等して、光記録媒体ディスク１０５の表面に傷が発生してしまう場合があった。
【００１２】
その具体例を説明する。まず、光記録媒体ディスク１０５がスタックリング１０８を有する場合、積層する光記録媒体ディスク１０５の全体の荷重が、スタックリング１０８の接する部分に集中してかかるため、重畳台１０４の中心付近が沈み込む場合がある。特に、スピンドルケース１０１をダンボールなどの柔らかい素材の上においた場合や、スピンドルケース１０１を２段以上積み重ねた場合に、この傾向が強まる。
このときの図７におけるＰ７−Ｑ７線上でスピンドルケース１０１を切った模式的な断面図が図９である（なお、図９はカバー１０６を省略している。）。重畳台１０４の中央付近と外縁部との間に高さの差（図９におけるＨ９）が生じるため、一番下にダミーディスク１０９を入れて光記録媒体ディスク１０５を積載したとしても、該ダミーディスク１０９とその直上の光記録媒体ディスク１０５とが外周辺部において接触しやすく、傷の原因になっているという課題があった。
【００１３】
この課題は、光記録媒体ディスク１０５がブルーレイディスクの場合にさらに顕著となる傾向がある。ブルーレイディスクの記録レーザー光の入射面側は、規格によりほぼ全面にカバー層が形成されている。ブルーレイディスクを図７に例示される様に保管する場合、ダミーディスク１０９のスタックリング１０８が、その上方の光記録媒体ディスク１０５の記録レーザー光の入射面側に接するため、スタックリング１０８が該カバー層に接触することになる。該カバー層は通常比較的柔らかい樹脂材料からなるため、スタックリング１０８がカバー層にめり込んでしまい、ダミーディスク１０９と上方の光記録媒体ディスク１０５とのスペースが狭まってしまう傾向にある。従って、ブルーレイディスクは、他の種類の光記録媒体ディスクに比べ、光記録媒体ディスク１０５の外周辺部においてダミーディスク１０９と接触しやすく、傷がつきやすい傾向にあった。
【００１４】
本発明は上記事情に鑑みてなされたものであり、保管時や運搬時においても光記録媒体ディスクの表面に傷が発生しない保管方法を提供するものである。また、そのような保管を行なうことが出来る重畳台を提供するものである。
【課題を解決するための手段】
【００１５】
本発明者らは上記課題を解決するため、積み重ねた光記録媒体ディスク１０５の一番下のダミーディスク１０９が、特定の形状のリング状凸部を備えることで、光記録媒体ディスク１０５に傷がつきにくくなることを見出した。
【００１６】
更に、重畳台１０４のベース台１０２が、特定の態様でリブを備えることによっても、光記録媒体ディスク１０５に傷がつきにくくなることを見出し、本発明を完成するに至った。
【００１７】
則ち、本発明の要旨は、ベース台と、該ベース台に立設された中央突出軸とを備える重畳台に、表裏を貫通し該中央突出軸を挿入しうる孔を形成された光記録媒体ディスクを保管する方法であって、表裏を貫通し該中央突出軸を挿入しうる孔を形成され、高さ０．２ｍｍ以上のリング状凸部を該孔の周辺部に有する、円盤状のダミーディスクと、該光記録媒体ディスクとを、この順に該孔に該中央突出軸を挿入させて該重畳台のベース台上に積載した状態で保管することを特徴とする、光記録媒体ディスクの保管方法に存する（請求項１）。
【００１８】
このとき、該ダミーディスクと、該ベース台との最大距離が２ｍｍ以上となるように、該ダミーディスクの孔に該中央突出軸を挿入させて積載した状態で保管することが好ましい（請求項２）。
【００１９】
また、表裏を貫通し該中央突出軸を挿入しうる孔が形成された、厚み１ｍｍ以上のスペーサと、該ダミーディスクと、該光記録媒体ディスクとを、この順に該中央突出軸をこれらの各孔に挿入させて積載した状態で保管することも好ましい（請求項３）。
また、前記リング状凸部の先端の、光記録媒体ディスクの保管時に隣接している光記録媒体ディスクに接触する面が、平坦になっていることが好ましい（請求項４）。
【００２０】
本発明の別の要旨は、表裏を貫通する孔が形成された光記録媒体ディスクを積載する重畳台であって、ベース台と、該ベース台に立設された該光記録媒体ディスクの孔に挿入しうる中央突出軸とを備え、該ベース台は、該中央突出軸の近傍部分が、該重畳台に該光記録媒体ディスクを積載したときの該光記録媒体ディスクの外周辺部に対向する部分と比べて、２ｍｍ以上高く形成されたことを特徴とする、光記録媒体ディスク重畳積層保管用重畳台に存する（請求項５）。
【００２１】
このとき、該ベース台に該中央突出軸から該ベース台外周部へ放射状にリブが形成されていることが好ましい（請求項６）。
【発明の効果】
【００２２】
本発明の光記録媒体ディスクの保管方法を用いると、保管時や運搬時においても光記録媒体ディスクの表面に傷が発生することを抑制することが出来る。また、本発明の光記録媒体ディスク重畳積層保管用重畳台によっても、保管時や運搬時においても光記録媒体ディスクの表面に傷が発生することを抑制することが出来る。
【図面の簡単な説明】
【００２３】
【図１】図１は、本発明の光記録媒体ディスクの保管方法の、第１の実施の態様を表わす模式的な分解斜視図である。
【図２】図２（ａ）は、本発明のダミーディスク９を、リング状凸部１０を有する面からみた模式的な上面図である。また、図２（ｂ）は図２（ａ）のＰ２−Ｑ２線で本発明のダミーディスク９を切った模式的な断面図である。
【図３】図３は、本発明の光記録媒体ディスクの保管方法を示すものであり、図１におけるＰ１−Ｑ１線でスピンドルケース１を切った模式的な断面図である。
【図４】図４は、本発明の光記録媒体ディスクの保管方法の、第２の実施の態様を表わす模式的な断面図である。
【図５】図５（ａ）は、本発明の第３の実施の態様の光記録媒体ディスク重畳積層保管用重畳台４０を上面からみた模式的な上面図である。また、図５（ｂ）は図５（ａ）のＰ５−Ｑ５線で光記録媒体ディスク重畳積層保管用重畳台４０を切った模式的な断面図である。
【図６】図６（ａ）は、本発明の第４の実施の態様の光記録媒体ディスク重畳積層保管用重畳台４１を上面からみた模式的な上面図である。また、図６（ｂ）は図６（ａ）のＰ６−Ｑ６線で光記録媒体ディスク重畳積層保管用重畳台４１を切った模式的な断面図である。
【図７】図７は、一般的な形状のスピンドルケースを用いて光記録媒体ディスクの保管した状態を表わしている模式的な分解斜視図である。
【図８】図８（ａ）は、一般的な形状の光記録媒体ディスク１０５として、ＤＶＤ−Ｒを例に記録レーザー光の入射面の反対側からみた模式的な上面図を表わしたものである。また、図８（ｂ）は光記録媒体ディスク１０５を図８（ａ）のＰ８−Ｑ８線で切った模式的な断面図である。
【図９】図９は、一般的な形状のスピンドルケースを用いて光記録媒体ディスクの保管した状態を表わしており、図７におけるＰ７−Ｑ７線でスピンドルケース１０１を切った模式的な断面図である。
【発明を実施するための形態】
【００２４】
以下、本発明の実施の形態について、光記録媒体ディスクとしてブルーレイディスクの場合を例に詳細に説明するが、本発明は以下の実施の態様に限定されるものではなく、その要旨の範囲内で種々変形して実施することができる。
【００２５】
［１．第１の実施の態様］  
本発明の第１の実施の態様は、ベース台と、該ベース台に立設された中央突出軸とを備える重畳台に、表裏を貫通し中央突出軸を挿入しうる孔を形成された光記録媒体ディスクを保管する方法に関するものである。本発明において保管とは、光記録媒体ディスクを重畳台に積載した状態をいい、単に倉庫等に静置すること等に限定されず、運搬時等も含まれる。
【００２６】
具体的には、本発明の光記録媒体ディスクを保管する方法の第１の実施の態様は、表裏を貫通し該中央突出軸を挿入しうる孔を形成され、高さ０．２ｍｍ以上のリング状凸部を該孔の周辺部に有する、円盤状のダミーディスクと、光記録媒体ディスクとを、この順に中央突出軸を挿入しうる孔に中央突出軸を挿入させて積載した状態で保管するものである。
以下、第１の実施の態様について、図面を参照して詳述する。
【００２７】
図１は、本発明の光記録媒体ディスクの保管方法の、第１の実施の態様を表わす模式的な分解斜視図である。
図１では、ベース台２と、該ベース台２に立設された中央突出軸３とを備える重畳台４に、表裏を貫通し中央突出軸３を挿入しうる孔７（以下、「中心孔」ということがある。）を形成された光記録媒体ディスク５を保管する態様を示している。
【００２８】
該光記録媒体ディスク５にはスタックリング８が形成されており、該光記録媒体ディスク５を該重畳台４に積載して保管するときには、該光記録媒体ディスク５の中心孔７に該中央突出軸３を挿入させて、所望の枚数の光記録媒体ディスク５を重畳台４の上に積載する。
その際、積み重ねた光記録媒体ディスク５の一番下に、リング状凸部１０を有するダミーディスク９を装着する。ダミーディスク９は、必要に応じて、積み重ねた光記録媒体ディスク５の一番上にも追加して積載してもよい（図示省略）。
また、必要により、該重畳台４の上に積載した光記録媒体ディスク５を外部からの埃等から保護するカバー６を備えてもよい。このとき、ベース台２には、該カバー６と嵌合して、該カバー６を固定する嵌合部２ａを備えてもよい。以下、該重畳台４とカバー６とを合わせて、スピンドルケース１と呼ぶことがある。
【００２９】
（ダミーディスク）  
図２（ａ）は、本発明のダミーディスク９を、後述するリング状凸部１０を有する面からみた模式的な上面図である。また、図２（ｂ）は図２（ａ）のＰ２−Ｑ２線で本発明のダミーディスク９を切った模式的な断面図である。
【００３０】
本発明のダミーディスク９は円板状であり、表裏を貫通し重畳台４の中央突出軸３を挿入しうる孔７（中心孔）を形成されている。ダミーディスク９を保管するときは、この中心孔７を中央突出軸３に貫通させて積載する。
【００３１】
また、本発明のダミーディスク９の中心孔７の周辺部には、円形の突起部であるリング状凸部１０を有している。リング状凸部１０は、ダミーディスク９の両面に設けられていてもよいし、片面に設けられていてもよい。
なお、リング状凸部１０は隣接する光記録媒体ディスク５同士の光記録に関する部位の接触を避けて、安定して光記録媒体ディスク５を重畳して積載することができれば制限はなく、円形の連続した突起の形状に限定されず、例えば正多角形の様な形状であってもよいし、断続的な円形でもよい。
【００３２】
リング状凸部１０の高さ（図２（ｂ）のＨ２）は、光記録媒体ディスク５のスタックリング８の高さに比べて高いことが好ましく、上述したとおり光記録媒体ディスク５のスタックリング８の高さは通常０．２ｍｍ未満であるので、ダミーディスク９のリング状凸部が備えられた側の基板面から通常０．２ｍｍ以上、好ましくは０．３ｍｍ以上、さらに好ましくは０．４ｍｍ以上、また、通常２．０ｍｍ以下、好ましくは１．０ｍｍ以下、さらに好ましくは０．８ｍｍ以下である。
この範囲を下回ると、重畳台４の中央付近の沈みこみにより、光記録媒体ディスク５の外周辺部が傷つきやすくなる傾向がある。また、この範囲を上回ると、精度の良い成形が困難になる傾向にある。
【００３３】
また、リング状凸部１０の先端は、光記録媒体ディスク５の保管時に隣接している光記録媒体ディスク５等に接触する面が平坦になっていることが好ましい。安定して積層された光記録媒体ディスクの荷重を支持できるためである。
リング状凸部１０の先端の平坦になっている面の幅（図２（ａ）及び図２（ｂ）のＷ２１）は、通常０．３ｍｍ以上、好ましくは０．５ｍｍ以上、さらに好ましくは０．８ｍｍ以上、また、通常９．０ｍｍ以下、好ましくは５．０ｍｍ以下である。この範囲を下回ると、上方の光記録媒体ディスクのカバー層にめり込みやすくなるという可能性がある。また、この範囲を上回ると、成形が困難となるという可能性がある。
また、リング状凸部１０の底部の幅（図２（ａ）及び図２（ｂ）のＷ２２）は、先端の幅より広いことが強度の点で好ましい。また、通常９．０ｍｍ以下、好ましくは５．０ｍｍ以下である。この範囲を上回ると、リング状凸部１０が上方の光記録媒体ディスクのデータ記録領域に接してしまう可能性がある。
また、リング状凸部１０は、ダミーディスク９の中心から半径１６．５ｍｍの円の領域内に設けることが好ましい。この領域の外部にはみ出ると、リング状凸部１０がデータ記録する領域にかかるためである。なお、中心孔７の周辺部とは、このようなダミーディスク９の中心から半径１６．５ｍｍの円の領域に相当する部位を指す。
【００３４】
図３は、本発明の光記録媒体ディスクの保管方法を示すものであり、図１におけるＰ１−Ｑ１線でスピンドルケース１を切った模式的な断面図である（ただし、カバー６は省略した。）。
光記録媒体ディスク５の荷重によって、重畳台４の中央付近が沈みこむことにより、重畳台４の中央付近と外縁部との間に高さの差（図３におけるＨ３１）が生じることがある。しかし、この場合でも、積載される光記録媒体ディスク５の一番下に十分な高さを有するリング状凸部１０を備えたダミーディスク９を取り付けたため、ダミーディスク９とその直上の光記録媒体ディスク５との外周辺部における接触が抑制される。
従って、上述の形状のリング状凸部１０を有するダミーディスク９を用いることにより、運搬中のダミーディスク９と近接する光記録媒体ディスク５との接触を抑制することができ、運搬中に傷の発生を抑制できる光記録媒体ディスクの保存方法が実現できる。
【００３５】
また、ダミーディスク９を図３に示す向きとは天地逆転して積載してもよい。
この場合であっても、運搬中のダミーディスク９と近接する光記録媒体ディスク５との接触を抑制することができ、運搬中に傷の発生を抑制できる光記録媒体ディスクの保存方法が実現できる。
なおこの場合、光記録媒体ディスク５にスタックリング８の設置面とは逆の面にプロテクションリング（図３に図示せず。）を備えるか、ダミーディスク９の両面にリング状凸部１０を備えることが好ましい（図３に図示せず。）。一番下に積載される光記録媒体ディスク５の光記録に関する部位とダミーディスク９との接触を低減することができるためである。但し、ダミーディスク９の両面にリング状凸部１０を備える場合、両面とも同じ高さのリング状凸部１０である必要はなく、光記録媒体ディスク５と接するリング状凸部１０は、光記録媒体ディスク５のスタックリング８を越える高さを有すればよい。
【００３６】
本発明のダミーディスク９は、直径などは通常光記録媒体ディスク５と略同等であるが、スピンドルケース等の寸法が許す限りにおいて、光記録媒体ディスク５よりも大きくてもよい。
【００３７】
また、本発明の光記録媒体ディスクの保管方法においては、ダミーディスク９とベース台２との最大距離（図３におけるＨ３２）を、通常１．０ｍｍ以上、好ましくは２．０ｍｍ以上とすることで、傷の発生をより抑制することができるため好ましい。
ここで、「ダミーディスク９とベース台２との最大距離」とは、ダミーディスク９のベース台２に対向する面に包含される任意の点と、ベース台２との距離のうち、その値が最大になるものをいう。
【００３８】
また、本発明の光記録媒体ディスクの保管方法においては、ダミーディスク９を２枚以
上重ねて用いても良い。枚数が多いほど、光記録媒体ディスクの傷の発生を抑制することが可能となる。
【００３９】
なお、本発明のダミーディスク９は、光記録媒体ディスク５の表面への傷の発生が抑制されればよく、そのため、記録層や反射層などの光記録に用いられる構成を有していなくてよい。これにより、コストが安くできる。
また、光記録媒体ディスク５の表面の傷が防げればよいため、本発明のダミーディスク９は、上述のリング状凸部１０さえ有していれば、記録層などを有していてもよい。
なお、ダミーディスク９のリング状凸部１０の高さとは、上述したとおり、図２（ｂ）のＨ２で表わされるようにダミーディスク９のリング状凸部が備えられた側の基板表面からの高さであり、ダミーディスク９が記録層などを有している場合であっても、これらの層の最表面からの高さではない。ただし、ダミーディスク９が記録層などを有している場合は、最表面からの高さが０．２ｍｍ以上であることがより好ましい。
【００４０】
（ダミーディスクの製造方法）  
本発明のダミーディスク９は、公知の何れの方法でも製造することができる。例えば、通常のＣＤ基盤作製の金型の金型鏡面のリング状凸部の形状を所望の形状に加工し、鏡面スタンパーを使い、ポリカーボネートを材料として射出成型で製造することができる。
ダミーディスク９の材質については、ポリカーボネート以外に射出成型容易な材料であれば何れの公知の材料を用いることも出来る。なお、ダミーディスク９の材質は、光記録媒体ディスク５と硬度が同じか、若しくは、やわらかい材質であることが好ましい。
【００４１】
（重畳台）  
本発明の第１の実施の態様における重畳台４は、ベース台２と、該ベース台２の立設された中央突出軸３とを備えていれば制限はなく、公知の何れの重畳台を用いることができる。例えば、上述のカバー６と嵌合する嵌合部２ａを備えてもよく、材料、色、意匠などは本発明の効果を著しく損なわない限り任意である。
ただし、ベース台２は、光記録媒体ディスク５を重畳して積載するという観点から、光記録媒体ディスク５よりも広い上面を有していることが好ましい。また、中央突出軸３は、ベース台２に対して垂直上方に立設している方が好ましい。安定して光記録媒体ディスク５を積載できるためである。
【００４２】
（光記録媒体）  
本発明の第１の実施の態様における光記録ディスク５は、表裏を貫通し中央突出軸を挿入しうる孔（中心孔）７を形成されていれば他に制限はなく、公知の何れの光記録媒体ディスクを用いることもできる。
【００４３】
ただし、光記録ディスク５を重畳して積載するときに傷を防ぐため、中心孔７の周辺部に円形の連続した突起部である、スタックリング８を有することが好ましい。
【００４４】
（カバー）
本発明において重畳台は、必要により、重畳台４の上に積載した光記録媒体ディスク５を外部からの埃等から保護するカバー６を備えてもよい。カバー６は、重畳台４と嵌合する構造体を備えてもよく、材料、色、意匠などは本発明の効果を著しく損なわない限り任意である。
【００４５】
［２．第２の実施の態様］  
本発明の光記録媒体ディスクを保管する方法の第２の実施の態様は、表裏を貫通し該中央突出軸を挿入しうる孔を形成された、厚み１ｍｍ以上のスペーサと、ダミーディスクと、光記録媒体ディスクとを、この順にそれぞれの中心孔に中央突出軸を挿入させて積載した状態で保管する。
則ち、本発明の第２の実施の態様は、本発明の第１の実施に態様において、ダミーディスク９の下に、更にスペーサ１１を備える態様である。
以下、第２の実施の態様について説明する。
【００４６】
図４は、本発明の光記録媒体ディスクの保管方法の、第２の実施の態様を表わす模式的な断面図である。図４では、重畳台４上に、後述するスペーサ１１と、ダミーディスク９と、光記録媒体ディスク５とを、この順に積層保管する態様を示している。図４は、重畳台４の中央突出軸３を含む垂直平面における断面図である。
スペーサ１１以外は、本発明の第１の実施の態様と同様であるため、スペーサ１１について説明する。
【００４７】
（スペーサ）  
スペーサ１１は、表裏を貫通し該中央突出軸を挿入しうる孔（中心孔）を形成され、厚み１ｍｍ以上の部材である。
スペーサ１１は重畳台４とダミーディスク９との間隔を広げ、図９に例示されるような光記録媒体ディスク５の外周における傷を防ぐことができる。
スペーサ１１は、上記の特徴を有していれば、本発明の効果を著しく損なわない限り制限はなく、その形状、材質、色、意匠などは任意である。ただし、以下の構成を有していることが好ましい。安定して光記録媒体ディスクを積層できるためである。
【００４８】
スペーサ１１は均一な厚みを有することが好ましい。安定して光記録媒体ディスクを積層できるためである。スペーサ１１の厚みは通常１．０ｍｍ以上、好ましくは１．２ｍｍ以上、さらに好ましくは１．４ｍｍ以上、また、通常２．０ｍｍ以下、好ましくは１．５ｍｍ以下である。この範囲を下回ると、ダミーディスク９と重畳台４とが接触する可能性がある。また、この範囲を上回ると、光記録媒体ディスクの収納可能枚数が少なくなる傾向にある。
【００４９】
スペーサ１１の平面形状に制限はないが、スペーサ１１とダミーディスク９とが接する場合には、ダミーディスク９のリング状凸部１０が形成されている位置の真裏の位置（図４においては、リング状凸部１０の真下の位置）に少なくとも当接できる形状が好ましい。これにより、リング状凸部１０を適切に支持できるので、光記録媒体ディスクを安定して重畳して積載できるためである。スペーサ１１は、ダミーディスク９との滑りを抑制するため、エンボス加工等により表面を若干粗してもよい。
【００５０】
図４は、本発明の光記録媒体ディスクを第２の実施の態様により保管した状態を表わしている。
光記録媒体ディスクの重みにより重畳台４の中心付近が沈み込むことによって、重畳台４の中央付近と外縁部との間に高さの差（図４におけるＨ４１）が生じたとしても、ベース台２とダミーディスク９との間にスペーサ１１を設置するため、ダミーディスク９とその直上の光記録媒体ディスク５との外周辺部における接触が抑制される。
従って、スペーサ１１を用いることにより、運搬中のダミーディスク９と近接する光記録媒体ディスク５との接触を抑制することができ、運搬中に傷の発生を抑制できる光記録媒体ディスクの保存方法が実現できる。
【００５１】
また、ダミーディスク９を図４に示す向きとは天地逆転して積載してもよい。
この場合であっても、運搬中のダミーディスク９と近接する光記録媒体ディスク５との接触を抑制することができ、運搬中に傷の発生を抑制できる光記録媒体ディスクの保存方法が実現できる。
なおこの場合、光記録媒体ディスク５にスタックリング８の設置面とは逆の面にプロテクションリング（図４に図示せず。）を備えるか、ダミーディスク９の両面にリング状凸部１０を備えることが好ましい（図４に図示せず。）。一番下に積載される光記録媒体ディスク５の光記録に関する部位とダミーディスク９との接触を低減することができるためである。但し、ダミーディスク９の両面にリング状凸部１０を備える場合、両面とも同じ高さのリング状凸部１０である必要はなく、光記録媒体ディスク５と接するリング状凸部１０は、光記録媒体ディスク５のスタックリング８を越える高さを有すればよい。
【００５２】
また、本発明の第２の実施の態様においても、ダミーディスク９とベース台２との最大距離（図４におけるＨ４２）を２．０ｍｍ以上とすることが好ましい。上述した図９で例示されるような光記録媒体ディスクの外周部における傷の発生が、抑制されるためである。
【００５３】
（スペーサの製造方法）  
本発明のスペーサ１１は、公知の何れの方法でも製造することができる。例えば、射出
成型で製造することができるし、所望の厚みの板材から打ち抜き加工で作製してもよい。
本発明のスペーサ１１の材質としては、プラスチックが好ましく、滑りがよいことから、発塵の発生が少ないポリエチレンが、特に好ましい。
【００５４】
［３．第３の実施の態様］  
本発明の第３の実施の態様は、表裏を貫通する孔が形成された光記録媒体ディスクを積載する重畳台に関するものである。具体的には、ベース台と、該ベース台に立設された光記録媒体ディスクの孔に挿入しうる中央突出軸とを備え、該ベース台は、該中央突出軸の近接部分が、重畳台に光記録媒体ディスクを積載したときの光記録媒体ディスクの外周辺部に対向する部分と比べて、２ｍｍ以上高く形成された光記録媒体ディスク重畳積層保管用重畳台である。
【００５５】
本発明の第３の実施の態様は、上述の光記録媒体ディスク重畳積層保管用重畳台を用いて、光記録媒体ディスクを保管することである。具体的には、公知のスピンドルケースの重畳台に代えて、本発明の光記録媒体ディスク重畳積層保管用重畳台を用いてもよいし、本発明の第１の実施の態様、若しくは本発明の第２の実施の態様において、重畳台４の代わりに第３の実施の態様の光記録媒体ディスク重畳積層保管用重畳台を用いてもよい。特に本発明の第１の実施の態様、若しくは本発明の第２の実施の態様に組み合わせて用いた方が、効果が顕著に得られて好ましい。
【００５６】
（第３の実施の態様の光記録媒体ディスク重畳積層保管用重畳台）  
図５（ａ）は、本発明の第３の実施の態様の光記録媒体ディスク重畳積層保管用重畳台４０を上面からみた模式的な上面図である。また、図５（ｂ）は図５（ａ）のＰ５−Ｑ５線で光記録媒体ディスク重畳積層保管用重畳台４０を切った模式的な断面図である。
【００５７】
図５（ａ）及び図５（ｂ）に示すように、光記録媒体ディスク重畳積層保管用重畳台４０は、ベース台２０と、該ベース台２０に立設された中央突出軸３０とを備え、この中央突出軸３０は光記録媒体ディスクの中心孔に挿入しうるようになっている。このとき、中央突出軸３０は、該ベース台２０に対して垂直上方に立設している方が好ましい。安定して光記録媒体ディスクを積載できるためである。
【００５８】
また、該ベース台２０は、該中央突出軸３０の近接部分（すなわち、光記録媒体ディスク重畳積層保管用重畳台４０に光記録媒体ディスクを積載した場合に、光記録媒体ディスクの内周辺部に対向し、該内周辺部と接触する部分）２０ｂが、重畳台４０に光記録媒体ディスクを積載したときの光記録媒体ディスクの外周辺部に対向する部分２０ｃと比べて、２ｍｍ以上高く形成されている（図５のＨ５に相当する高さである。）。
【００５９】
また、光記録媒体ディスク重畳積層保管用重畳台４０には、カバー（図５（ａ）及び図５（ｂ）には図示省略。）を嵌合する嵌合部２０ａが形成されてもよい。カバーを装着することによって、光記録媒体ディスクを埃などからまもることができる。さらに、該カバーが該嵌合部２０ａに係止されることで、該カバーを光記録媒体ディスク重畳積層保管用重畳台４０に固定することが出来る。
【００６０】
中央突出軸の近接部分２０ｂと、重畳台４０に光記録媒体ディスクを積載したときの光記録媒体ディスクの外周辺部に対向する部分２０ｃとの高さの差（図５のＨ５に相当する高さである。）は、通常２．０ｍｍ以上、好ましくは２．５ｍｍ以上高く形成されることが好ましい。
【００６１】
また、ベース台２０における中央突出軸の近接部分２０ｂの領域は、光記録媒体ディスクの外周辺部に対向する部分２０ｃと比べて２ｍｍ以上高く形成されたときに、ダミーディスク９やスペーサ１１等を支持しうる程度の大きさであればよい。
具体的には、中央突出軸３０の中心からの半径（図５（ａ）のＷ５にあたる。）が、通常１１．５ｍｍ以上、好ましくは１２．０ｍｍ以上、さらに好ましくは１２．５ｍｍ以上、また、通常１６．５ｍｍ以下、好ましくは１６．０ｍｍ以下、さらに好ましくは１５．５ｍｍ以下である。この範囲を下回ると、光記録媒体ディスクもしくはダミーディスクとの接触面積が小さすぎてこれらディスクが傾いてしまう可能性がある。また、この範囲を上回ると、光記録ディスクを積載した場合に光記録媒体ディスクのデータ記録する領域に接触する可能性がある。
【００６２】
なお、図５（ａ）及び図５（ｂ）においては、中央突出軸の近接部分２０ｂは、円の形状で高くなっているが、光記録媒体ディスク、ダミーディスク、スペーサ等を支持しうる形状であれば、この形状に限定されるものではない。例えば、正多角形の形状であってもよいし、ドーナツ形状であってもよいし、扇形形状であってもよい。
【００６３】
上記の光記録媒体ディスク重畳積層保管用重畳台４０を、本発明の光記録媒体ディスクの保管方法に適用することにより（すなわち、本発明の第１の実施の態様、及び本発明の第２の実施の態様において、重畳台４の代わりに光記録媒体ディスク重畳積層保管用重畳台４０を用いることにより）、ダミーディスク９と、ベース台２０との最大距離（図３におけるＨ２３、図４におけるＨ４２に相当する。）を２ｍｍ以上とすることできる。
これにより、光記録媒体ディスク５の荷重によって、光記録媒体ディスク重畳積層保管用重畳台４０の中央突出軸の近接部分２０ｂが沈みこんだとしても、ダミーディスク９とその直上の光記録媒体ディスク５との外周辺部における接触が抑制される。従って、上述の図９で例示されるような光記録媒体ディスクの外周辺部における傷の発生を抑制することができる。
【００６４】
また、係る効果は、本発明の光記録媒体ディスク重畳積層保管用重畳台を公知のスピンドルケース１０１における重畳台１０４の代わりに用いた場合でも得ることができる。すなわち、ダミーディスクを用いていなかったり、用いたとしても公知のダミーディスクを用いて光記録媒体ディスクを保管したとしても、光記録媒体ディスク若しくはダミーディスクの外周辺部と、光記録媒体ディスク重畳積層保管用重畳台との接触を抑制することができる。その結果、光記録媒体ディスクの外周辺部における傷を抑制することができる。
【００６５】
［４．第４の実施の態様］  
本発明の第４の実施の態様は、本発明の第３の実施の態様で用いられた光記録媒体ディスク重畳積層保管用重畳台４０において、ベース台２０に中央突出軸３０からベース台２０外周部へ放射状にリブが形成されている光記録媒体ディスク重畳積層保管用重畳台４１を用いて、光記録媒体ディスク５を保管することである。具体的には、本発明の第１の実施の態様、若しくは本発明の第２の実施の態様において、重畳台４の代わりに第４の実施の態様の光記録媒体ディスク重畳積層保管用重畳台４１を用いることである。
【００６６】
（第４の実施の態様の光記録媒体ディスク重畳積層保管用重畳台）  
図６（ａ）は、本発明の第４の実施の態様の光記録媒体ディスク重畳積層保管用重畳台４１を上面からみた模式的な上面図である。また、図６（ｂ）は図６（ａ）のＰ６−Ｑ６線で光記録媒体ディスク重畳積層保管用重畳台４１を切った模式的な断面図である。
【００６７】
図６（ａ）及び図６（ｂ）に示すように、光記録媒体ディスク重畳積層保管用重畳台４１は、ベース台２１と、該ベース台２１に立設された光記録媒体ディスクの孔に挿入しうる中央突出軸３１とを備える。また、該ベース台２１は、該中央突出軸３１の近接部分（すなわち、光記録媒体ディスク重畳積層保管用重畳台４１に光記録媒体ディスクを積載した場合に、光記録媒体ディスクの内周辺部に対向し、該内周辺部と接触する部分）２１ｂが、重畳台４１に光記録媒体ディスクを積載したときの光記録媒体ディスクの外周辺部に対向する部分２１ｃと比べて、２ｍｍ以上高く形成されている（図６のＨ６１に相当する高さである。）。
【００６８】
また、光記録媒体ディスク重畳積層保管用重畳台４１には、カバー（図６（ａ）及び図６（ｂ）には図示省略。）を嵌合する嵌合部２１ａが形成されてもよい。カバーを装着することによって、光記録媒体ディスクを埃などからまもることができる。さらに、該カバーが該嵌合部２１ａに係止されることで、該カバーを光記録媒体ディスク重畳積層保管用重畳台４１に固定することが出来る。
【００６９】
本発明の第４の実施の態様の光記録媒体ディスク重畳積層保管用重畳台４１は、本発明の第３の実施の態様の光記録媒体ディスク重畳積層保管用重畳台４０と比較して、リブ２１ｄが形成されている点が異なる。以下、リブ２１ｄにつき説明する
【００７０】
リブ２１ｄは、ベース台２１に中央突出軸３１からベース台外周部へ放射状に形成されている。該リブ２１ｄによって、積層する光記録媒体ディスクの全体の荷重が、ベース台２１の中央部分（すなわち、中央突出軸３１の近接部分）２１ｂに集中することによる光記録媒体ディスク重畳積層保管用重畳台４１の中央付近の沈みこみを抑制することができる。
これにより、上述の図９に例示されるような光記録媒体ディスクの外周における傷を防ぐことができる。
【００７１】
リブ２１ｄの高さ（図６（ｂ）のＨ６２）は、通常０．５ｍｍ以上、好ましくは０．７５ｍｍ以上、さらに好ましくは０．９ｍｍ以上、また、通常１．０ｍｍ以下である。
この範囲を下回ると、重畳台４１の中心付近の沈み込みを抑制しづらくなる傾向にある。また、この範囲を上回ると、重畳台４１の中心付近が沈み込んだ場合、リブ２１ｄとダミーディスクとが接触しやすくなり、その結果、光記録媒体ディスクの外周における傷が発生しやすくなる傾向にある。通常、リブ２１ｄは、光記録媒体ディスクに傷が発生するのを避けるため、該光記録媒体ディスクと接触しない方が好ましい。従って、リブ２１ｄの高さ（図６のＨ６２）が、中央突出軸３１の近接部分の高さ（図６のＨ６１）よりも低いことが好ましい。
【００７２】
また、リブ２１ｄの幅（図６（ａ）のＷ６）は、通常１．０ｍｍ以上、好ましくは１．２ｍｍ以上、また、通常１．５ｍｍ以下、好ましくは１．４ｍｍ以下である。
この範囲を下回ると、重畳台４１の中心付近の沈み込みを抑制しづらくなる傾向にある。また、この範囲を上回ると、成形精度が低下する傾向がある。
【００７３】
リブ２１ｄは、荷重を平均して分散させるために、等角度間隔で設けることが好ましい。例えば９０°間隔、６０°間隔、４５°間隔、３０°間隔等で設けることが出来るが、図６（ａ）等に示すように４５°間隔で設けることが好ましい。成形精度と強度のバランスのためである。
【００７４】
なお、リブ２０ｄについては、重畳台の下面及び上面の両面に設けてもよいし、何れか片面に設けてもよい。ただし、既存の加熱収縮型のフィルムによりラッピングする機械のケース台の形状に適合させるため、重畳台の上面のみにリブを設け、下面は公知のスピンドルケースの重畳台と同様にリブを設けないことが好ましい。
【００７５】
［５．その他］
以上、本発明の光記録媒体ディスクの保管方法、及び本発明の光記録媒体ディスク重畳積層保管用重畳台について説明したが、本発明は上記の光記録媒体に限定されるものでは
なく、本発明の要旨を逸脱しない範囲において任意に変形して実施することができる。また、本発明の第１の実施の態様〜第４の実施の態様を任意に組み合わせて実施してもよい。例えば、光記録媒体ディスクとしてブルーレイディスクだけでなく、ＣＤ、ＤＶＤ等の任意のものを用いてもよい。
【実施例】
【００７６】
以下、本発明について、実施例を用いてさらに詳細に説明するが、本発明はその要旨を逸脱しない限り、以下の実施例に限定されるものではない。
【００７７】
［実施例１］
市販の５０枚用のスピンドルケース（重畳台の直径が１４２ｍｍ。中央突出軸の高さが８４ｍｍ、直径が１４．７ｍｍ。カバーの直径が１２６ｍｍ、高さが９０ｍｍ。）を用いて、光記録媒体ディスクの保管による傷の確認を行なった。
該スピンドルケースの重畳台に、リング状凸部（高さ０．２７ｍｍ、先端幅１．０ｍｍ）を有するダミーディスクを積載し、その上に光記録媒体ディスクとしてＢｌｕ−ｒａｙＤｉｓｃ（登録商標）を５０枚積層し、カバーをした。このとき、ダミーディスクとベース台との最大距離は、１．５ｍｍであった。
同様のサンプルを５つつくり、これを６０℃の恒温槽に３時間保管した。このように、サンプルを高温状態で長時間保管することで、重畳台の変形が促進され、ダミーディスクと重畳台が接触しやすい環境となる。その後に、保管後の光記録媒体ディスクの表面の傷（圧着痕）の発生の有無を確認した。
サンプルを回収したところ、５つのサンプル中、光記録媒体ディスクの外周辺部に傷がついたサンプルは０個であった。
【００７８】
［実施例２］
ダミーディスクのリング状凸部の形状を、高さ０．３０ｍｍ、先端幅０．３ｍｍとした以外は、実施例１と同様にして、光記録媒体ディスクの保管による傷の確認を行なった。なお、このときのダミーディスクと、ベース台との最大距離は、１．５ｍｍであった。
５つのサンプル中、光記録媒体ディスクの外周辺部に傷がついたサンプルは２個であった。
【００７９】
［実施例３］
ダミーディスクのリング状凸部の形状を、高さ０．４０ｍｍ、先端幅１．０ｍｍとした以外は、実施例１と同様にして、光記録媒体ディスクの保管による傷の確認を行なった。なお、このときのダミーディスクと、ベース台との最大距離は、１．５ｍｍであった。
５つのサンプル中、光記録媒体ディスクの外周辺部に傷がついたサンプルは０個であった。
【００８０】
［実施例４］
スピンドルケースの重畳台に、スペーサ（厚さ１．２ｍｍ）を積載し、その上にリング状凸部（高さ０．４０ｍｍ、先端幅１．０ｍｍ）を有するダミーディスクを積載し、その上に光記録媒体ディスクを５０枚積層した以外は、実施例１と同様にして、光記録媒体ディスクの保管による傷の確認を行なった。なお、このときのダミーディスクと、ベース台との最大距離は、２．７ｍｍであった。
５つのサンプル中、光記録媒体ディスクの外周辺部に傷がついたサンプルは０個であった。
【００８１】
［比較例１］
ダミーディスクのリング状凸部の形状が、高さ０．１７ｍｍ、先端の形状がかまぼこ形に山形になっていた以外は、実施例１と同様にして、光記録媒体ディスクの保管による
傷の確認を行なった。なお、このときのダミーディスクと、ベース台との最大距離は、１．５ｍｍであった。
５つのサンプル中、光記録媒体ディスクの外周辺部に傷がついたサンプルは５個であった。
【産業上の利用可能性】
【００８２】
本発明は、光記録媒体ディスクの保管方法、及び光記録媒体ディスクの保管に用いる光記録媒体ディスク重畳積層保管用重畳台に関するものである。本発明によると、保管時や運搬時においても光記録媒体ディスクの表面に傷が発生することを抑制することができ、光記録媒体ディスクの保管に良好に用いることができる。
また、本発明の光記録媒体ディスク重畳積層保管用重畳台によっても、保管時や運搬時においても光記録媒体ディスクの表面に傷が発生することを抑制することができ、光記録媒体ディスクの保管に良好に用いることができる。
【符号の説明】
【００８３】
１    スピンドルケース
２    ベース台
２ａ    嵌合部
３    中央突出軸
４    重畳台
５    光記録媒体ディスク
６    カバー
７    中心孔
８    スタックリング
９    ダミーディスク
１０    リング状凸部
１１    スペーサ
２０    ベース台
２０ａ    嵌合部
２０ｂ    中央突出軸３０の近接部分
２０ｃ    重畳台に光記録媒体ディスクを積載したときの光記録媒体ディスクの外周辺部に対向する部分
３０    中央突出軸
４０    第３の実施の態様の光記録媒体ディスク重畳積層保管用重畳台
２１    ベース台
２１ａ    嵌合部
２１ｂ    中央突出軸３１の近接部分
２１ｃ    重畳台に光記録媒体ディスクを積載したときの光記録媒体ディスクの外周辺部に対向する部分
２１ｄ    リブ
３１    中央突出軸
４１    第４の実施の態様の光記録媒体ディスク重畳積層保管用重畳台
１０１    スピンドルケース
１０２    ベース台
１０３    中央突出軸
１０４    重畳台
１０５    光記録媒体ディスク
１０６    カバー
１０７    中心孔
１０８    スタックリング
１０９    ダミーディスク
【図１】
2009274766.tif 000003
【図２】
2009274766.tif 000004
【図３】
2009274766.tif 000005
【図４】
2009274766.tif 000006
【図５】
2009274766.tif 000007
【図６】
2009274766.tif 000008
【図７】
2009274766.tif 000009
【図８】
2009274766.tif 000010
【図９】
2009274766.tif 000011